(57)【特許請求の範囲】
【請求項１】
医療装置展開ハンドルにおいて選択的なファイバーの緩みを提供するファイバー伸張システムであって、当該ファイバー伸張システムは、
一連のピンと、
第１の伸張されたファイバー長さ及び第１の伸張されたファイバーパターンを形成する前記一連のピンの周りを通された伸張されたファイバーと、を具備し、
前記第１の伸張されたファイバー長さは、前記一連のピンの少なくとも１つの除去により、第２の伸張されたファイバー長さ及び第２の伸張されたファイバーパターンへと変化し、前記一連のピンの内の少なくとも１つの除去の時に、前記伸張されたファイバーの一端部における変位によって、前記伸張されたファイバーの対向する端部において本質的にゼロの引張力を形成する、ファイバー伸張システム。
【請求項２】
前記第１の伸張されたファイバーパターンが実質的に直線ではない、請求項１に記載のファイバー伸張システム。
【請求項３】
前記直線ではないパターンが、ジグザグ形状である、請求項２に記載のファイバー伸張システム。
【請求項４】
前記第２の伸張されたファイバーパターンが実質的に直線である、請求項１に記載のファイバー伸張システム。
【請求項５】
医療装置展開ハンドルにおいて選択的なファイバーの緩みを提供するファイバー伸張システムであって、当該ファイバー伸張システムが、
伸張システムに受け入れられているファイバーであって、前記ファイバーが、前記ファイバーにおいて緩みが形成されかつ前記ファイバーの第１のファイバー端部の変位が前記ファイバーの第２の対向するファイバー端部の変位へと移転する第１の状態と、前記ファイバーの前記第１のファイバー端部の変位が前記第２の対向するファイバー端部へと移転されずかつ前記第１のファイバー端部の変位が前記第２の対向するファイバー端部において本質的にゼロの引張力を形成する、第２の状態と、前記緩みが前記ファイバーにおいて形成されており、かつ、前記第１のファイバー端部の変位が前記第２の対向するファイバー端部の変位へと移転する第３の状態と、を有するファイバーを具備する、ファイバー伸張システム。
【請求項６】
少なくとも１つのピン周りに巻かれた前記ファイバーを更に具備し、前記第１の状態から前記第２の状態への遷移が、前記少なくとも１つのピンの除去により引き起こされる、請求項５に記載のファイバー伸張システム。
【請求項７】
血管移植物の腔内輸送のための導入器システムであって、前記導入器システムが、
血管移植物を輸送形態に保持し、且つ、当該血管移植物の拡張形態への拡張を可能とするように解放可能である、拘束機構と、
前記拘束機構の駆動に関連した１つ以上の機能を駆動するための少なくとも１つのファイバーと、
前記少なくとも１つのファイバーが通されるファイバー経路設定システムを有するハンドルと、を具備し、
前記ファイバー経路設定システムが、前記ハンドルの操作の間に前記少なくとも１つのファイバーと関連した前記ハンドルの前記１つ以上の機能の駆動を所望の時間遅らせるように、前記ハンドルの組立の間に前記少なくとも１つのファイバーにおいて所定量の緩みが形成されるのを可能とし、前記少なくとも１つのファイバーの変位が前記少なくとも１つのファイバーの対向するファイバー端部において本質的にゼロの引張力を形成するように、前記少なくとも１つのファイバーにおいて前記緩みが形成される、導入器システム。
【請求項８】
前記ファイバー経路設定システムが一連のピンを有する、請求項７に記載の導入器システム。
【請求項９】
前記少なくとも１つのファイバーが第１の伸張されたファイバー長さ及び第１の伸張されたファイバーパターンを形成する前記一連のピンの周りを通され、前記少なくとも１つのファイバーの一端に対して付与された張力が、前記少なくとも１つのファイバーの対向する端部へと移転する、請求項８に記載の導入器システム。
【請求項１０】
前記一連のピンの少なくとも１つの除去が、前記少なくとも１つのファイバーにおいて前記所定量の緩みを形成する、請求項９に記載の導入器システム。
【請求項１１】
前記少なくとも１つのファイバーが、前記少なくとも１つのファイバーの伸張によって前記緩みが取り除かれた後に、第２の伸張されたファイバー長さ及び第２の伸張されたファイバーパターンを有する、請求項１０に記載の導入器システム。
【請求項１２】
前記第１の伸張されたファイバー長さ及び前記第１の伸張されたファイバーパターンから前記第２の伸張されたファイバー長さ及び前記第２の伸張されたファイバーパターンへの前記少なくとも１つのファイバーの伸張が、前記ハンドルの操作の間、前記少なくとも１つのファイバーと関連した前記ハンドルの前記１つ以上の機能の駆動の遅れを生じさせる、請求項１１に記載の導入器システム。
【発明の詳細な説明】
【技術分野】
【０００１】
本開示は、医療装置展開システムに関する。より詳細には、本開示は医療装置展開システムのハンドルに関する。
【背景技術】
【０００２】
大動脈疾患の腔内の治療のために使用される高度な装置、機器、システム及び方法の必要性が存在する。特に、臨床医に対する使用の容易さを向上させる一方で、操作、再拘束、複数の段階の展開、複数の装置の展開といった装置の展開のますます複雑な態様に適合できる展開システムの必要性が未だに存在する。
【先行技術文献】
【特許文献】
【０００３】
【特許文献１】米国特許第６３５２５６１号
【特許文献２】米国特許第６５５１３５０号
【特許文献３】米国特許出願公開第２０１０／００４９２９３号
【０００４】
添付の図面は、本開示の更なる理解を提供するために含まれ且つ組み込まれ、本明細書の一部を構成し、本開示の実施形態を示し、詳細な説明と共に本開示の原理を説明するために供する。
【図面の簡単な説明】
【０００５】
【図１】本開示による導入器アセンブリの分解斜視図である。
【図２】図１の導入器アセンブリのハンドルの様々な状態を示す。
【図３】図１の導入器アセンブリのハンドルの様々な状態を示す。
【図４】図１の導入器アセンブリのハンドルの様々な状態を示す。
【図５】図１の導入器アセンブリのハンドルの様々な状態を示す。
【図６】図１の導入器アセンブリのハンドルの様々な状態を示す。
【図７】図１の導入器アセンブリのハンドルの様々な状態を示す。
【図８】図１の導入器アセンブリのハンドルの様々な状態を示す。
【図９Ａ】第１の状態にある導入器アセンブリのハンドルの上面図である。
【図９Ｂ】第１の状態にある導入器アセンブリのハンドルの正面図である。
【図９Ｃ】第２の状態にある導入器アセンブリのハンドルの上面図である。
【図９Ｄ】第２の状態にある導入器アセンブリのハンドルの正面図である。
【図１０】導入器アセンブリの前部の斜視図である。
【図１１】導入器アセンブリの前部の断面図である。
【図１２】導入器アセンブリの後部の斜視図である。
【図１３】導入器アセンブリの後部の断面図である。
【図１４】互いに分離された導入器アセンブリのハンドル及び被覆部の斜視図を示す。
【図１５】第２のカテーテルにおける締結機構によって載置され保持された第１のカテーテルを示すカテーテルアセンブリの一部の斜視図である。
【図１６】第２のカテーテルが第１のカテーテルから載置解除された図１５のカテーテルアセンブリの一部の斜視図である。
【図１７】ハンドルのファイバー経路設定システムの一部の斜視図である。
【図１８】図１７のファイバー経路設定システムのピン周りのファイバーの経路設定及び使用時のファイバーの伸張の順序を示す拡大斜視図である。
【図１９】図１７のファイバー経路設定システムのピン周りのファイバーの経路設定及び使用時のファイバーの伸張の順序を示す拡大斜視図である。
【図２０】図１７のファイバー経路設定システムのピン周りのファイバーの経路設定及び使用時のファイバーの伸張の順序を示す拡大斜視図である。
【図２１】図１７のファイバー経路設定システムのピン周りのファイバーの経路設定及び使用時のファイバーの伸張の順序を示す拡大斜視図である。
【図２２】ファイバー伸張システムについてのファイバーの引張力対ファイバーの移動量のグラフである。
【発明を実施するための形態】
【０００６】
血管移植物（vascular implant）の駆動又は展開（deployment）を可能とする一方で臨床医によるハンドルの操作の特定の手順を強いるための、様々な実施形態による血管移植物の腔内輸送のための導入器アセンブリが開示される。
【０００７】
様々な実施形態において、導入器アセンブリは、血管移植物を解放可能に拘束する第１の状態と、血管移植物の展開を可能とする第２の状態と、の間で拘束被覆部を駆動するための第１の駆動機構と、１つ以上の他の取っ手及び／又はハンドルの他の機能を遮断するための遮断状態と、１つ以上の他の取っ手及び／又はハンドルの他の機能の操作を可能とするための非遮断状態と、の間で遮断機構を駆動するための第２の駆動機構と、操作取っ手であって、当該操作取っ手の駆動に応じた第１の駆動機構及び第２の駆動機構の両方の同時操作のために、第１の駆動機構及び第２の駆動機構の両方に対して動作可能に結合された、操作取っ手と、を有する。こうした導入器アセンブリの例示は、図１において全般的に１００で示される。導入器アセンブリ１００は、被覆部２００及びハンドル３００を有する。導入器アセンブリ１００は、血管移植物を被覆部２００の遠位端２１０へと解放可能に拘束する拘束部（図示せず）を有する。拘束部は、拡張可能な移植物を腔内輸送に適した輸送形態へと解放可能に拘束する第１の状態と、移植物の拡張を可能とするように輸送形態から展開形態へと解放される第２の状態と、を有する。ハンドルは、第１の状態と第２の状態との間で拘束部を駆動するために拘束部に対して動作可能に結合された駆動部材を有する。
【０００８】
様々な実施形態において、拘束部は、移植物周りに延びるフィルムスリーブを有することができる。第１の状態において、フィルムスリーブの対向する部分又は縁部は、輸送形態において移植物を維持するためにワイヤー又はファイバーのような細長い部材によって共に解放可能に保持され又は縫い合わされることができる。このような実施形態において、スリーブは、移植物の拡張を可能とするように、フィルムスリーブからの細長い部材の除去、抜糸又はその他の係合解除によって、開かれ又は破断され得る。こうした拘束スリーブの更なる詳細は、例えば、Ｌｅｏｐｏｌｄらによって特許取得された特許文献１、及び、Ｔｈｏｒｎｔｏｎらによって特許取得された特許文献２において確認でき、これらの内容は、その全体が参照により本明細書に組み込まれる。このような実施形態において、駆動部材は、フィルムスリーブを第１の状態から第２の状態へと解放又は開放するために細長い部材に対して結合され得る。
【０００９】
他の実施形態において、拘束部は、軸方向に移動可能なチューブを有することができ、こうしたチューブは、包装されたフィルムチューブ又は押出ポリマーから形成され得る。実際に、様々な実施形態において、被覆部自体がこうした拘束部であり得、被覆部は、第１の状態において、輸送形態へと移植物を保持するために移植物を覆うように延びる。被覆部は、移植物の拡張を可能とするように輸送形態から第２の状態へと動かされることができる。このような実施形態において、駆動部材は、被覆部が駆動部材によって第１の状態と第２の状態との間で動かされるように、被覆部に対して結合されることができる。
【００１０】
したがって、駆動部材は、上述された拘束部又は当該技術分野で知られた他の同様に駆動される拘束機構のいずれかの形式から移植物を展開するように構成され得る。一体化された被覆部及び拘束部の後者の形式は、図示された実施形態と関連付けて以下で説明される。
【００１１】
図９Ａ〜図９Ｄを参照すると、ハンドル３００は、第１の位置と第２の位置との間の駆動部材３１０の直線移動に応じて、被覆部２００をそれぞれ第１の状態と第２の状態との間で駆動するために、被覆部２００に対して結合された駆動部材３１０を有する。ハンドル３００は、第１の位置と第２の位置との間で駆動部材３１０を移動させるための第１の駆動機構３２０を有する。
【００１２】
ハンドル３００は、第１の駆動機構３２０を操作するための主要取っ手３３０を有する。以下で更に説明されるように、ハンドル３００は、１つ以上の付加的な分離したハンドル機能を操作するための１つ以上の付加的取っ手を有することができる。ハンドル３００は、図９Ａ及び図９Ｂに示されるような１つ以上の付加的取っ手３４０、３４２、３４４を覆う、覆われた状態と、図９Ｃ及び図９Ｄに示されるような１つ以上の付加的取っ手３４０、３４２、３４４に対するアクセスを可能とする覆われていない状態と、の間の移動のために動作可能なカバー３５０を有する。ハンドル３００は、覆われた状態と覆われていない状態との間でカバー３５０を移動させるための第２の駆動機構３６０を有する。主要取っ手３３０は、主要取っ手３３０の対応する操作に応じて、それぞれ、第１の状態と第２の状態との間の駆動部材３１０の移動、及び、覆われた状態と覆われていない状態との間のカバー３５０の移動の両方を生じさせるように、第１の駆動機構３２０及び第２の駆動機構３６０の両方に動作可能に結合されている。
【００１３】
様々な実施形態において、ハンドルの駆動取っ手は、軸周りの回転のために構成されることができ、ハンドルの１つ以上の機能を駆動するための駆動部材は、駆動取っ手の対応する回転に応じて、２つの操作状態の間で軸に沿った及び／又は軸周りの移動のために構成されることができる。例えば、図９Ａ〜図９Ｄに示されるように、主要取っ手３３０は、回転軸３３２周りに回転可能である。駆動部材３１０は、第１の状態と第２の状態との間で軸３３２に沿って直線的に移動可能である。図１０及び図１１を参照すると、第１の駆動機構３２０は、軸３３２周りに主要取っ手３３０と共に移動可能な第１の螺旋状案内部３２２を有する。第１の駆動機構３２０は、主要取っ手３３０の対応する回転に応じて、第１の状態と第２の状態との間の駆動部材３１０の直線運動を生じさせるように第１の螺旋状案内部３２２と係合された第１の追従部３２４を駆動部材３１０に有する。主要取っ手３３０は、受容筒３３４を有し、受容筒３３４は、第１の状態と第２の状態との間で駆動部材３１０が移動するときに、当該受容筒３３４を通る駆動部材３１０の少なくとも一部を受容する。いくつかの実施形態において、第１の螺旋状案内部３２２は、受容筒３３４の内側表面３３６に沿って形成された第１の螺旋状溝３２６であり、第１の追従部３２４は、螺旋状溝３２６と係合された外側に延びる第１のピン３３８を有する。
【００１４】
図１２を参照すると、第２の駆動機構３６０は、主要取っ手３３０の回転をカバー３５０の軸方向の移動へと変換する第２の螺旋状案内部３６２を有する。１つの実施形態において、第２の螺旋状案内部３６２は、スピンドル３６４の外側表面３６６に沿って形成された第２の螺旋状溝３６８を備え、スピンドル３６４は、主要取っ手３３０の軸３３２（図９Ａ〜図９Ｄ）と整列される。第２の駆動機構３６０は、主要取っ手３３０に沿って形成された長手溝３６６を更に有する。様々な実施形態において、溝３６６は、主要取っ手３３０の軸３３２と平行である。第２の駆動機構３６０は、カバー３５０から延び長手溝３６６と摺動可能に係合される第２のピン３６３を有する。図１３に最もよく示されるように、第２の駆動機構３６０は、主要取っ手３３０の対応する回転に応じて、覆われた状態と覆われていない状態との間でカバー３５０の移動を生じさせるように、カバー３５０から延び第２の螺旋状溝３６８と係合する第３のピン３５２を有する。
【００１５】
ハンドルの駆動機構は、駆動部材及びカバーの移動のような機能が、主要取っ手の操作の間に、互いに対して遅延され又は加速されるように構成され得る。例えば、第１の螺旋状案内部は、主要取っ手の操作に応じたカバーに対する駆動機構の移動における遅延、減速又は加速をそれぞれ生じさせるために、均一の又は減らされた又は増やされたピッチを有することができる。
【００１６】
様々な実施形態において、ハンドルは、第１の方向における駆動取っ手の駆動を可能とし、反対向きの第２の方向における駆動取っ手の回転を防ぐ、ラチェット機構を有することができる。例えば、ハンドルは、主要取っ手上の歯車ラックと、固定された歯止めと、を有するラチェット機構を備えることができ、歯止めは、歯止めが歯車ラックの歯に沿って滑動するときに、第１の方向における主要取っ手の回転を可能とするように歯車ラックと係合し、歯止めが歯車ラック上の歯を捕らえるときに、反対向きの第２の方向における主要取っ手の回転を制限する。歯止めは、ばね付勢された機械加工された構成要素であり得、又は、代替的に、歯止めは、板ばね金属（spring leaf metal）から形成され得る。歯止めは、可聴なノイズを生成するように構成されることができ、及び／又は、歯止めが歯車ラックの歯に沿って滑動するときに触知性のフィードバックを少なくとも提供するように構成され得る。随意に、歯車ラックの歯の１つ以上は、展開における特定ステップが完了したときに、例えばピッチといった顕著な音の変化、又は、例えば臨床医に対して示すクリック、抵抗といった触知性のフィードバックを生じさせるように、歯車ラックの他の歯から異なるように寸法化され及び／又は異なるように形状化され得る。
【００１７】
使用時、軸３３２周りの主要取っ手３３０の回転は、図２の矢印「ａ」で示されるような第１の方向における駆動部材３１０の移動を生じさせるための第１の駆動機構３２０と、図２の矢印「ｂ」で示されるような第２の方向におけるカバー３５０の移動を生じさせるための第２の駆動機構３６０と、を同時に操作する。第１の方向「ａ」における駆動部材３１０の移動は、拡張可能な移植物４００の輸送形態からの外側への拡張を可能とするように、被覆部２００の対応する移動を生じさせる。拡張可能な血管移植物は、自己拡張するステント移植物、又は、代替的に、バルーン拡張される移植物であり得る。第２の方向「ｂ」におけるカバー３５０の移動は、１つ以上の他のハンドル機能を操作するための１つ以上の付加的取っ手のそれぞれを露出し得る。
【００１８】
例えば、図３に示されるように、第２の取っ手３４０は、治療部位における移植物の完全な展開に取りかかる前に装置の位置決めを可能とするように、移植物の少なくとも一部を選択的に拘束するための拘束機構を操作するために、カバー３５０の移動後に露出される。拘束機構、構成、及び、そのような拘束機構の使用方法の詳細な説明は、同時係属中の出願である特許文献３（Ｚｕｋｏｗｓｋｉら）において提供され、その内容は、その全体が参照により本明細書に組み込まれる。
【００１９】
様々な実施形態において、ハンドルは、１つ以上の他のハンドル機能をそれぞれ操作するための付加的取っ手を露出するためのステップにおいて、カバーが動かされ得るように構成されることができる。
【００２０】
例えば、図４に示されるように、主要取っ手３３０の連続的な回転は、図５に示されるように、第３の取っ手３４２を露出させるために第２の方向「ｂ」においてカバー３５０の更なる移動を生じさせる。第３の取っ手３４２は、展開の間に、移植物４００の少なくとも一部を選択的に曲げ又はその他の方法で操作するための、移動するファイバー、ワイヤー、レバー、歯車又はこれらのステアリング機構（図示せず）の任意の組み合わせのような、１つ以上の他のハンドル機能を駆動するように構成され得る。
【００２１】
主要取っ手３３０の連続的な回転は、例えば、図６に示されるように、図７及び図８に示されるように第４の取っ手３４４を露出させるために、第２の方向「ｂ」においてカバー３５０の更なる移動を生じさせる。第４の取っ手３４４は、移動するファイバー、ワイヤー、レバー、歯車又はこれらの解放機構の任意の組み合わせのような１つ以上の他のハンドル機能を駆動するように構成され得る。１つの実施形態において、解放機構は、移植物とハンドルとの間の解放可能な連結を維持するために、移植物と摩擦により係合された拘束ワイヤーを有することができる。拘束ワイヤーは、第４の取っ手の駆動に応じて移植物に対して移動され及び移植物から係合解除されるように、第４の取っ手に対して動作可能に結合され得る。例えば、拘束ワイヤーは、第４の取っ手の回転の間に、第４の取っ手のスピンドル部周りに巻かれ得る。スピンドル周りの拘束ワイヤーの巻き込みは、移植物から拘束ワイヤーが係合解除するまで移植物に対して拘束ワイヤーを移動させる。
【００２２】
様々な実施形態において、拡張可能な移植物を操作、再拘束及び展開するようなハンドル機能は、ハンドルの１つ以上の取っ手を駆動することによって操作されることができる一方で、第２の若しくは中間の被覆部又はスリーブ内において中間形態で移植物を維持することができ、中間形態は、輸送形態より大きく、展開形態より小さい。例えば、導入器アセンブリは、拘束被覆部の移動後に移植物の拡張を中間形態へと制限するための第２の被覆部を有することができる。第２の被覆部は、移植物を覆うように延び移植物を解放可能に拘束する、可撓性フィルム拘束スリーブを有することができる。ファイバー又はワイヤーのような細長い連結部材は、移植物を中間形態へと解放可能に拘束するように拘束スリーブの対向する縁部又は側部を共に縫い合わせる。拘束スリーブは、拘束スリーブからの連結部材の連結解除によって開放され得る。拘束スリーブの材料及び全体構成の更なる詳細は、Ｌｅｏｐｏｌｄらの特許文献１において確認され得る。
【００２３】
図１４を参照すると、被覆部２００及びハンドル３００は、装置の展開及び導入器からのハンドルの連結解除の後に、他の手術用具のための導入器としての被覆部２００の次の再使用のために、互いに対して解放可能に結合され得る。例えば、導入器及びハンドルは、装置の展開の後のハンドルの分離、並びに、他の装置、器具、プローブ、カメラ、薬品及び生理食塩水のような他の手術用具を導入するための導入器の次の再利用又は再企画を可能とする、解放可能な連結を形成するために、ねじ加工され又は溝−ピン構成により締められる。
【００２４】
様々な実施形態によるカテーテルアセンブリは、互いに流体連通した管状の第１のカテーテル及び第２のカテーテルを有することができ、第２のカテーテルは、開口適合部を有し、第１のカテーテル及び第２のカテーテルを共に締結するために弾性的に長手方向に伸張され得る。このようなカテーテルアセンブリの例示は、図１５及び図１６において示され、全般的に５００で示される。カテーテルアセンブリ５００は、対向する第１の端部５１２及び第２の端部５１４と、外側表面５１６と、第１の端部５１２及び第２の端部５１４の間で延びる管腔５２０を画定する内側表面５１８と、を備える管状の第１のカテーテル５１０を有する。側部開口部５２２は、外側表面５１６と内側表面５１８との間で延びる。
【００２５】
カテーテルアセンブリ５００は、第１のカテーテル５１０の第２の端部５１４に沿った第１の開口部ハウジング５２４を有する。第１の開口部ハウジング５２４は、第１のカテーテル５１０の管腔５２０にアクセスするための第１の開口部５２６を有することができる。
【００２６】
カテーテルアセンブリ５００は、対向する第１の端部５３２及び第２の端部５３４と、外側表面５３６と、第２のカテーテル５３０の第１の端部５３２及び第２の端部５３４の間で延びる管腔５４０を確定する内側表面５３８と、を備える管状の第２のカテーテル５３０を更に有する。第２のカテーテル５３０の第１の端部５３２は、第１のカテーテル５１０の外側表面５１６に沿って終端する。第２のカテーテル５３０の管腔５４０は、第１のカテーテル５１０の管腔５２０と側部開口部５２０を介して流体連通する。
【００２７】
カテーテルアセンブリ５００は、第２のカテーテル５３０の第２の端部５３４に沿った第２の開口部ハウジング５６０を有することができる。第２の開口部ハウジング５６０は、第２のカテーテル５３０の管腔にアクセスするための第２の開口部５６２を有することができる。
【００２８】
カテーテルアセンブリ５００は、第２のカテーテル５３０の弾性張力を利用した、第１のカテーテル５１０及び第２のカテーテル５３０を解放可能に連結するための締結機構６００を有する。より詳細には、締結機構６００は、第２の開口部ハウジング５６０を受容し支持するため、形状及び大きさにおいて第２の開口部ハウジング５６０の少なくとも一部に対応する受容部６１０を第１の開口部ハウジング５２６に有する。受容部６１０は、第２の開口部ハウジング５６０を間に収容するように離間された一対の直立壁６１２を有する。少なくとも１つの直立壁６１２は、凹部６１４を有する。
【００２９】
締結機構６００は、第２の開口部ハウジング５６０から外側に延びる少なくとも１つの突出部６３０を更に有する。突出部６３０は、図１５に示されるように、受容部６１０の直立壁６１２の間で第２の開口部ハウジング５６０が載置される間に、凹部６１４と係合する。この載置された状態において、第２のカテーテル５３０は弾性的に伸張され、突出部６３０を凹部６１４内に保持する反力を形成する。第２の開口部ハウジング５６０は、突出部６３０が凹部６１４から出るのを可能とするように、図１６において全般的に「ｃ」で示される方向に沿って第２のカテーテル５３０を引っ張り弾性的に伸張させることによって、受容部６１０から載置解除され得る。第２の開口部ハウジング５６０及び第２のカテーテル５３０は、このとき第１の開口部ハウジング５２４に対して自由に配置され得る。第２の開口部ハウジング５６０は、第２のカテーテル５３０を再び弾性的に伸張させることによって、載置された状態へと戻されることができ、突出部６３０を凹部６１４により再整列し、第２のカテーテル５３０が緩み、締結し、これにより第２の開口部ハウジング５６０を第１の開口部ハウジング５２４の受容部６１０内において載置された状態で維持することを可能とする。
【００３０】
第２のカテーテル５３０は、第２の開口部ハウジング５６０が載置された状態にある間に突出部６３０を凹部６１４内に保持するための十分な反力を形成するために第２のカテーテル５３０が弾性的に伸張されるのを可能とし、第２の開口部ハウジングを受容部６１０の直立壁６１２の間から載置解除するように突出部６３０が凹部６１４から移動されるのを可能とするように第２のカテーテル５３０が更に弾性的に伸張されるのを可能とし、更に、手術用具及び装置の流体移送及び輸送のような従来のカテーテルの機能を更に提供する、任意の適した材料から形成され得る。
【００３１】
他の実施形態による導入器アセンブリは、ハンドルの取っ手をハンドルの様々な機能と動作可能に連結するためのファイバーを使用することができ、ハンドルの操作の間に１つ以上のファイバーと関連したハンドルの機能の駆動を所望の時間遅らせるように１つ以上のファイバーの組立の間に所定量の緩みが形成されるのを可能とするファイバー経路設定システムを有することができる。ファイバーは、腔内の装置の操作若しくは展開を含む任意のハンドルの機能、又は、遠隔起動を要する任意の他の機能若しくは装置を起動するように構成され得る。例えば、図１７に示されるように、ファイバー経路設定システムが示され、全般的に７００で表される。ファイバー経路設定システム７００は、周りで１つ以上のファイバーが通され得る一連の垂直ピン７１０を有する。
【００３２】
ピン７１０は、ハンドル３００の取り付け表面７２０の開口部７１２のそれぞれにおいて取り付けられ得る。１つ以上のピン７１０は、他のピン７１０に対して交互配置される。ハンドルの組立の間、ファイバー８００は、図１８に示されるようにピン７１０の周りを通され得る。ファイバー８００の経路設定の後、１つ以上の交互配置されたピン７１０は、一連の図１８〜図２１により示されるように、開口部７１２から引っ込められ、又は別の方法として、取り除かれ、ファイバー８００の緩み８１０をもたらす。したがって、ファイバー８００の一端における、図１８〜図２１において矢印「ｄ」で示されたファイバー８００の伸張は、緩み８１０（図２０）を短縮させ、ファイバー８００の対向する端部を伸張させる代わりにファイバー８００を直線にし、したがって、ファイバー８００と関連したハンドル機能の駆動を遅らせる。特定の用途において、一定のファイバーの緩み量を設けると好適であり、同様に、関連したハンドルの機能の駆動における所定の遅れ時間を設けると好適である。随意に、図１７に示されるように、開口部７１２及び所望のファイバーの経路は、取り付け表面７２０の凹部領域７２４の縁部表面７２２によって案内され得る。
【００３３】
ファイバー８００の緩み８１０が取り去られ又は取り除かれるため、ファイバーの一端に付与される伸張は、ファイバーの対向する端部における伸張へと変換され、同様に、関連したハンドル機能又は機構の駆動へと変換される。
【００３４】
したがって、この構成により、複数のファイバーは、様々なハンドル機能を駆動するようにハンドルに取り付けられることができ、それぞれハンドルの組立の間に任意の所望量の緩みを有することができる。
【００３５】
図２２を参照すると、ファイバー伸張システムについてのファイバーの引張力対ファイバーの移動量のグラフが示される。ファイバーの第１の端部が最初に伸張され得る。張力（対向するファイバー端部における引張力の制限により決定される）は、特定のファイバー移動量に沿って維持される。システムピンの除去により、ファイバー長さ内に緩みが形成され、これにより更なるファイバー移動がファイバーの対向する端部における本質的にゼロの引張力を形成する。ファイバーが更に進められるにつれ、緩みが取り除かれ、第１のファイバー端部に付与される張力が、第２のファイバー端部へと移転される。
【００３６】
本開示の趣旨又は範囲から逸脱することなく本開示において様々な改良及び変形が成され得ることは当業者に明らかである。したがって、本開示は、提供された本開示の改良及び変形を包含することを意図し、これらは、添付の特許請求の範囲及びこれらの均等の範囲内にある。
【図１】
0006649270.tif 000002
【図２】
0006649270.tif 000003
【図３】
0006649270.tif 000004
【図４】
0006649270.tif 000005
【図５】
0006649270.tif 000006
【図６】
0006649270.tif 000007
【図７】
0006649270.tif 000008
【図８】
0006649270.tif 000009
【図９Ａ】
0006649270.tif 000010
【図９Ｂ】
0006649270.tif 000011
【図９Ｃ】
0006649270.tif 000012
【図９Ｄ】
0006649270.tif 000013
【図１０】
0006649270.tif 000014
【図１１】
0006649270.tif 000015
【図１２】
0006649270.tif 000016
【図１３】
0006649270.tif 000017
【図１４】
0006649270.tif 000018
【図１５】
0006649270.tif 000019
【図１６】
0006649270.tif 000020
【図１７】
0006649270.tif 000021
【図１８】
0006649270.tif 000022
【図１９】
0006649270.tif 000023
【図２０】
0006649270.tif 000024
【図２１】
0006649270.tif 000025
【図２２】
0006649270.tif 000026